(57)【要約】ポイントローラーを支持するローラーアセンブリー（１０）であって、ローラーシャフト（１５）の上にマウントされたケージ（１１）を有し、ケージは長さ方向において所々に設けられた２重のフランジ支持要素（３７ａ−１）により一体として支持される間隔を置いて配置されたバー（４０）を有し、端部（１９，３２）で終了し、内側末端キャップと外側末端キャップを係合する。内側末端キャップ（１９）は外側のテーパー状のフィンガー（２４ａ−ｆ）および隆起したタブ（４１）を有し、容易な挿入と取り外しのためにペイントローラーを係合し、保持する。
2005529733.tif 000002
【特許請求の範囲】
【請求項１】
ペイントローラー用のローラーケージアセンブリーであって、
そこから外側に伸びるシャフト末端を有するハンドルであって、該シャフトがハンドルに対して垂直に伸びる他の末端部分を有しているハンドル、
垂直なシャフト末端部分の周囲にマウントされたケージであって、シャフト末端部分の周囲の所々に配置され間隔を置いて伸びる複数のバー、バーを係合する間隔を置いて配置された複数の実質的に円状の支持要素、ケージのそれぞれの末端に位置しシャフトを係合する開口を有する末端部分を有するケージ；および
ケージの末端部分にマウントされた第１の外側末端キャップ、ケージの他の末端部分にマウントされた内側末端キャップ、該内側末端キャップはさらにローラーのマウントを容易にするための複数の外側に伸びたテーパー状のフィンガー、ペイントローラーをグリップするための複数の隆起したタブ、およびその中をシャフトが伸びる開口を有し、ペイントローラーがケージの上に挿入される、
ペイントローラー用のローラーケージアセンブリー。
【請求項２】
内側末端キャップを係合し、シャフト上のケージの動きを制限するための、シャフト末端部分の内側末端上の突き出した止め具、該止め具に隣接してシャフト上に滑り可能にマウントされたワッシャーをさらに有する、請求項１記載のペイントローラー用のローラーケージアセンブリー。
【請求項３】
シャフトの内側部分と外側部分において係合し、ケージの回転を許容するための、それぞれの末端キャップにマウントされたベアリングをさらに有する、請求項２記載のペイントローラー用のローラーケージアセンブリー。
【請求項４】
それぞれのケージ支持要素が円状の二重のフランジ部分および該二重のフランジ部分を接合する円状の交差部分を有する、請求項１記載のペイントローラー用のローラーケージアセンブリー。
【請求項５】
前記のバーが９０度間隔で離れている４つの要素を有し、該バーが支持要素と一体となって形成される、請求項１記載のペイントローラー用のローラーケージアセンブリー。
【請求項６】
それぞれのケージの末端部分がフランジ部分、および末端キャップを係合するためにフランジから外側に伸びる引っ込んだ円筒状部分を有する、請求項１記載のペイントローラー用のローラーケージアセンブリー。
【請求項７】
外側末端キャップがケージの末端部分の周囲に固定してマウントされる、請求項１記載のペイントローラー用のローラーケージアセンブリー。
【請求項８】
ケージがプラスチックであり、ケージ支持要素がバーと一体に成形された３つの間隔を置いて配置された要素を含む、請求項１記載のペイントローラー用のローラーケージアセンブリー。
【請求項９】
それぞれのタブが上方に傾斜する外側部分、および
ローラーを係合するための隆起した中間部分、下方に傾斜する内側部分を有し、
該それぞれのタブが、フィンガーの中間点から外側フランジに伸びる、請求項１記載のペイントローラー用のローラーケージアセンブリー。
【発明の詳細な説明】
【技術分野】
【０００１】
図面を参照すると、図１は、ユニークなケージアセンブリー１１を有する塗料ローラアセンブリー１０を有する本発明の透視図を示す。ローラーアセンブリー１０はハンドル１２を有し、そこから外側に伸びる金属シャフト部分１３、それと直角のシャフト部分１４、ハンドル１２およびシャフト部分１３と実質的に平行に外側に伸びるさらなるシャフト部分１５を有する。最終のシャフト部分１６はシャフト部分１５と直角に伸び、ケージアセンブリー１１と係合し、該ケージアセンブリーはシャフト部分１６と実質的に平行であり、それと間隔をおいて配置される。
【０００２】
止め金具１７、ワッシャー３５およびベアリング１８は、シャフト部分１６の部分内の末端に配置される。部分内の末端プラスチックキャップ１９は、シャフト１６およびベアリング１８と係合するための中央の開口２１を有する。末端キャップ１９は、ワッシャー１８に係合された止め金具１７によって所定位置に保持される。末端キャップ１９は外側フランジ２２、中間部の奥に引っ込んだ円筒状の部分２３、および複数の間隔をおいて配置されたグリッピング要素またはフィンガー２４を、その内側端部に有する。要素２４ａ−ｆは、円筒状の部分２３から外側に伸び、それぞれは表面２５ａ−ｆに沿って該要素の末端２４ａ−ｆへと下方向にテーパー状になっている。典型的には、６個のグリッピング要素２４ａ−ｆが使用される。末端キャップ１９は、さらに、各グリッピング要素２４の中央部からフランジ２２に及ぶ、形成されたタブ４１を含む。タブ４１は、要素２４ａ−ｆから上方へ傾斜する部分４２、ローラーと係合させるために隆起した中間の部分４３、およびフランジ２２にむけて下方へ傾斜する部分４４を含んでいる。
【０００３】
ケージ１１は、内側の末端部分であって３６、そこから外側に伸びるフランジ３０、および末端キャップ１９内にマウントされた末端の円筒状の部分２７を含む内側の末端部分３６を有する。末端部分３６は、そこに内部に位置したベアリング１８を有する中央の開口２８を有している。複数の支持要素２９ａ−２９ｃがケージ１１に沿っ間隔をおいて位置する。フランジ部分３０および３１はケージ１１の相対する２つの端に位置している。要素２９ａ−ｃは２重のフランジ構造を有し、中心のシャフト部分１６に平行なケージ１１の周囲に、９０度の間隔で配置された、４つの平行する軸状のバー４０を係合する。２重のフランジ構造は、円形のフランジ３７ａ−３７ｂ、３７ｃ−３７ｄ、３７ｅ−３７ｆを含み、それぞれは交差部分３８ａ、３８ｂおよび３８ｃにより連結される。末端キャップ３２は円筒状の形状で、その内部にマウントされた開口３３を通して伸びるシャフト１６と係合する。末端キャップ３２はケージ１１へ固定してマウントされるが、異なる実施態様では、末端キャップ１９、３２はケージ１１と独立に回転することができる。
【０００４】
使用に際しては、ローラー（図示せず）は、末端キャップ１９上のフランジ２２に対して、ケージアセンブリー１１の上を滑らせられる。グリッピング要素２４ａ−ｆおよび特にタブ４１は、ローラーの内部と係合し、所定の位置にそれをしっかりと保持する。ローラー１０は容易にこのようにマウントされ、取り外されるが、使用中はテーパー状のグリッピング要素２４ａ−ｆ、ケージ１１および支持バー４０、および要素２９ａ−ｃにより、しっかりと所定位置に保持される。ローラーケージアセンブリーは自由にシャフト部分１６の周囲を回転することができる。
【０００５】
本発明は、ある特定の実施態様の詳述によって説明されるが、請求項の範囲内でそれらのうちの任意の修正および置換をなすことができ、さらにそのような実施態様の等価なものを含むように意図されることが理解される。
【０００６】
ポイントローラーを支持するローラーアセンブリーは、ローラーシャフト上にマウントされたケージを含み、ケージは間隔をおいて伸びたバーを有し、該バーはそれに沿って間隔をおいて配置される２重フランジ支持要素により一体的に支持され、内側末端キャップおよび外側末端キャップと係合する２つの末端部分で終了する。内側末端キャップは外側にテーパー状になったフィンガーと高くなったタブを含んでいる。それは、塗料ローラーと係合し、保持し、挿入と取り外しを容易にする。
【０００７】
参照関連出願
この出願は、２００１年８月３１日に出願された、本出願人の、ローラーケージアセンブリーに関するＳＮ  ０９／６８２，４２４の一部継続出願である。本発明は、塗料ローラおよびケージアセンブリーに関し、特にしっかりと所定位置にローラーカバーを固定し、さらにローラーカバーが速く容易に除去されることを可能にする新規なアセンブリーに関する。内側末端キャップに所定の間隔をおいて配置されたテーパー状のプロングおよび形成されたタブは、ローラーカバーの挿入を容易にし、使用中にローラーカバーを所定位置に保持する。内部のキャップはケージの１つの末端に圧力ばめされ、一方、外側の末端キャップは、ケージのもう一つの端に固定して確保されている。先行技術では、塗料ローラはしばしば使用の間に緩くなる。内側のケージへのローラーを確保する試みがなされる場合、使用の後にローラーを取り外すことは多くの場合難しい。本発明は、ユニークなケージおよび末端キャップ構造によりこの問題を解決し、ローラーの取り付け、保持を容易にし、使用中にはローラーを所定位置に保持し、ローラーの除去を許容する
【０００８】
先行技術では、特許第５，３４５，６４８は塗料ローラに関し、Ｂｅｌｌｖｉｌｌｅタイプのスプリングワッシャーを使用して、ローラーを特定のケージデザインの所定位置に保持することに関する。この設計は本発明より高価であり、より複雑である。提案された発明は使いやすく、安価であり、先行技術デバイスより優れている。他のパテントも、この錯綜した技術分野に存在するが、本発明の特許性には影響しない。
【０００９】
本発明は、塗料ローラのためのプラスチックケージ構造アセンブリーに関する。ローラーはケージフレーム上にマウントされ、該ケージフレームは、内部内側末端キャップと外側末端キャップとの間に伸びる中央軸の金属シャフトを有し、該シャフトはハンドルシャフトの外側の末端部分を有する。ハンドルシャフトのもう一つの端は、軸のシャフトの中間点に垂直で、その上にマウントされたハンドルを有している。ローラーケージは相対する２つの端部分を含む。それらはそれぞれの末端キャップを、軸シャフトからあらかじめ決定された距離に固定して、係合する。複数の間隔をおいて配置されたプラスチックバーが、２つの末端キャップの間を、軸シャフトに平行に軸状に伸びる。軸状のバーは、ケージの周囲において９０度間隔で配置され、その長さ方向に沿った円状の支持要素およびそれぞれの末端の端要素により接合される。
【００１０】
末端キャップは、端要素を係合し、ケージを所定位置に閉じ込める。部分内の末端キャップは、それの内側末端に、テーパー状のグリッピング要素を複数有する、奥に引っ込められた円筒状の部分に至る外側フランジを有する。複数の突き出ているように形成されたタブは、対応するグリッピング要素のほぼ中央のポイントにおいて円筒状の引っ込んだ部分内に各々位置し、前記グリッピング要素から外側フランジまで伸びる。グリッピング要素およびタブはローラーを係合し、該ローラーは２つの末端キャップの間でケージの上を滑る。このデザインは、しっかりとローラーをケージに固定し、ローラーが使用の後に容易かつ迅速に除去されることを可能にする。
【００１１】
従って、本発明の目的は塗装用の新規な、改良されたローラーアセンブリーを供給することである。本発明の別の目的は、塗料ローラと係合し保持するための新規な、改善された回転可能なローラーケージアセンブリーを提供することである。本発明のさらなる目的は、塗料ローラの係合および脱係合を容易にするための、複数の、間隔をおいて配置されたテーパー状のグリッピング要素を有する部分内の末端キャップを有する、塗装用の新規な、改良されたローラーケージアセンブリーを供給することである。本発明のより具体的な目的は、新規な改善された塗料ローラおよびケージアセンブリーを提供することであり、これは複数の間隔をおいて配置され、その長さ方向に沿って種々の位置で円状の支持要素により結合された軸状のバー、中央に配置された軸のシャフトを係合する末端部分、ローラーを係合し保持するためのテーパー状のグリッピング要素、および隆起したタブを有する、第１のケージ末端がマウントされる部分内の末端キャップ、および第２のケージ末端部分に固定してマウントされる外側の末端キャップを有する。
【００１２】
添付の図面を参照すると、本発明の上記および他の目的、並びに利点はよりはっきり理解される。
【図面の簡単な説明】
【００１３】
【図１】図１は、本発明を含むローラーケージアセンブリーの透視図である。
【図２】図２はローラーケージの透視図である。
【図３】図３は外側の末端キャップの透視図である。
【図４】図４は内側の末端キャップの透視図である。
【図１】
2005529733.tif 000003
【図２】
2005529733.tif 000004
【図３】
2005529733.tif 000005
【図４】
2005529733.tif 000006
【国際調査報告】
2005529733.tif 000007